(57)【要約】【課題】  液体容器口部に装着された樋蓋の、樋蓋上部に装着された升蓋の脱着により液体容器口部と樋蓋下部の螺合の緩み問題を解決する。【解決手段】  液体容器口部に装着する升蓋装着用雄螺子と雄螺子に螺合する升蓋下部の雌螺子を左螺子に形成し、升蓋下部に液流調整弁装着口と液流調整弁バネ装着フックを形成して、液流調整弁装着口に球体を有する液流調整弁を挿入し液流調整弁バネ装着フックに液流調整弁バネを装着して、升蓋上部に液排口を有する覆い配設し、液排口中央に縦軸受けを形成し、升蓋上部に液排口を塞ぐ蓋装着用の雄螺子と雄螺子に螺合する蓋の雌螺子を右螺子に形成し、液流調整弁装着口に挿入された液流調整弁と蓋間に縦軸を装着する。【選択図】  図３
2014000970.tif 000002
【特許請求の範囲】
【請求項１】
升蓋と蓋から成る容器蓋において、容器とその容器の上を覆う升蓋又は蓋のいずれかとは左螺子でつながれ、その升蓋又は蓋の上部にある蓋又は升蓋のいずれかと螺合する蓋は右螺子でつながれている升蓋と蓋を備えたことを特徴とする升蓋液体容器。
【請求項２】
升蓋と、その升蓋の上部を覆う蓋から成る容器蓋において、液体容器口部に装着する升蓋装着用雄螺子と雄螺子に螺合する升蓋下部の雌螺子を左螺子に形成し、升蓋上部に装着する蓋装着用の雄螺子と雄螺子に螺合する蓋の雌螺子を右ねじに形成した容器蓋を備えたことを特徴とする請求項１に記載の升蓋液体容器。
【発明の詳細な説明】
【技術分野】
【０００１】
この発明は包装容器口部に装着する螺子蓋の係止に関するものである。
【背景技術】
【０００２】
従来液体洗剤の包装容器は、液体容器と液体注ぎ樋蓋と計量カップ蓋とにより構成された計量カップ蓋液体容器が主に使用されていて、この計量カップ蓋液体容器は注ぎ樋蓋が液体容器口部より簡単に脱着できない形状に形成されていた。
【先行技術文献】
【特許文献】
【０００３】
【特許文献１】特開２０１０−２６０５８３号公報
【特許文献２】特開２０１０−３０５０６号公報
【発明の概要】
【発明が解決しようとする課題】
【０００４】
従来液体容器口部と蓋の脱着に関して特開２０１０−２６０５８３号公報、特開２０１０−３０５０６号公報が知られているが、これらの計量カップ蓋液体容器では液体容器内への液体の補充は、液体容器と樋蓋との脱着が容易でないために樋蓋から計量カップ蓋を外し樋蓋の樋の狭い開口部より液体を補充しなければならず、液体容器や床に液体が垂れる問題を解決しようとするものである。
【課題を解決するための手段】
【０００５】
請求項１は、升蓋と蓋から成る容器蓋において、容器とその容器の上を覆う升蓋又は蓋のいずれかとは左螺子でつながれ、その升蓋又は蓋の上部にある蓋又は升蓋のいずれかと螺合する蓋は右螺子でつながれている升蓋と蓋を備えた升蓋液体容器。
【０００６】
請求項２は、升蓋と、その升蓋の上部を覆う蓋から成る容器蓋において、液体容器口部に装着する升蓋装着用雄螺子と雄螺子に螺合する升蓋下部の雌螺子を左螺子に形成し、升蓋上部に装着する蓋装着用の雄螺子と雄螺子に螺合する蓋の雌螺子を右ねじに形成した容器蓋を備えた請求項１に記載の升蓋液体容器。
【０００７】
本発明の液体容器は、液体容器口部に装着する升蓋又升蓋装着用雄螺子と雄螺子に螺合する升蓋下部の雌螺子を左螺子に形成する。
【０００８】
升蓋底中央に液流調整弁装着口を設け、液流調整弁装着口内に液流調整弁上部との噛み合い部を形成し、升蓋底面外周部に液流調整弁バネ装着フックを形成して、液流調整弁装着口に球体を有する液流調整弁を挿入し液流調整弁バネ装着フックに液流調整弁バネを装着する。
【０００９】
升蓋上部に液排口を有する覆い配設し、液排口中央に液流調整弁を下に押す縦軸が貫通する縦軸受けを形成し、升蓋上部に液排口を塞ぐ蓋装着用の雄螺子と雄螺子に螺合する蓋の雌螺子を右螺子に形成する。
【００１０】
液流調整弁装着口に挿入された液流調整弁と蓋間に縦軸を装着すると共に縦軸の下部は液流調整弁の上部を覆い、縦軸の上部は液排口内の縦軸受けを貫通する。
【００１１】
汎用樋蓋液体容器の場合、液体容器口部に装着する樋蓋装着用雄螺子と雄螺子に螺合する樋蓋下部の雌螺子を左螺子に形成し、樋蓋上部の雄螺子と雄螺子に螺合する升蓋の雌螺子を右螺子に形成する。
【発明の効果】
【００１２】
液体容器口部に装着する升蓋装着用雄螺子と雄螺子に螺合する升蓋下部の雌螺子を左螺子に形成し、升蓋上部に装着する蓋用の雄螺子と雄螺子に螺合する蓋の雌螺子を右螺子に形成することにおいて、升蓋上部の蓋を頻繁に脱着しても液体容器口部の雄螺子と雄螺子に螺合する升蓋下部の雌螺子の螺合は緩まないと共に液体容器口部より升蓋を外して液体容器内へ液体の補充ができる。
【００１３】
升蓋底中央に液流調整弁装着口と升蓋底外周部に液流調整弁バネ装着フックを形成して、液流調整弁装着口に球体を有する液流調整弁を挿入し液流調整弁バネ装着フックに液流調整弁バネを装着することにおいて、液流調整弁は液流調整弁装着口内で上下自在になる。
【００１４】
液流調整弁装着口に挿入された液流調整弁と蓋間に縦軸を装着すると共に縦軸の下部は液流調整弁の上部を覆い、縦軸の上部は液排口内の縦軸受けを貫通することにおいて、縦軸は蓋の脱着により上下に稼動し液流調整弁を上下して、液流調整弁内の球体の動きを調整できる。
【図面の簡単な説明】
【００１５】
【図１】液体容器（１）と升蓋（２）の正面図、切断線Ａ−Ａ線を示す。
【図２】液体容器（１）と升蓋（２）と蓋（１３）の平面図、切断線Ｂ−Ｂ線を示す。
【図３】液体容器（１）口部の正面図、雄螺子（３）を示す。
【図４】升蓋（２）の正面図、雄螺子（１４）を示す。
【図５】図２のＢ−Ｂ線切断部端面図、蓋（１３）を装着している。
【図６】図２のＢ−Ｂ線切断部端面図、蓋（１３）を外している。
【図７】覆い（１０）の平面図、縦軸受け（１２）を示す。
【図８】液流調整弁（８）と液流調整弁バネ（６）の斜視図。
【図９】図１のＡ−Ａ線切断部端面図。
【発明を実施するための形態】
【００１６】
以下図面に基づき説明する。
請求項１に対応する液体容器（１）は、液体容器（１）口部に装着する升蓋（２）装着用雄螺子（３）と雄螺子（３）に螺合する升蓋（２）下部の雌螺子（４）を左螺子に形成する。
【００１７】
升蓋（２）底中央に液流調整弁装着口（５）を設け、液流調整弁装着口（５）内に液流調整弁（８）上部との噛み合い部を形成し、液流調整弁装着口（５）に挿入する液流調整弁（８）上部に液流調整弁装着口（５）内の噛み合い部との噛み合い部を形成する。
【００１８】
升蓋（２）底面外周部に液流調整弁バネ（６）装着フック（７）を形成して、液流調整弁装着口（５）に、球体を有する液流調整弁（８）を液流調整弁（８）上部の噛み合い部と液流調整弁装着口（５）内の噛み合い部と噛み合わせ挿入し液流調整弁バネ（６）装着フック（７）に液流調整弁バネ（６）を装着する。
【００１９】
升蓋（２）上部に液排口（９）を有する覆い（１０）配設し、液排口（９）中央に液流調整弁（８）を下に押す縦軸（１１）が貫通する縦軸受け（１２）を形成し、升蓋（２）上部に液排口（９）を塞ぐ蓋（１３）装着用の雄螺子（１４）と雄螺子（１４）に螺合する蓋（１３）の雌螺子（１５）を右螺子に形成する。
【００２０】
液流調整弁装着口（５）に挿入された液流調整弁（８）と蓋（１３）間に縦軸（１１）を、縦軸（１１）下部は液流調整弁（８）の上部を覆い、縦軸（１１）上部は液排口（９）内の縦軸受け（１２）を貫通させて上下動自在に装着して、覆い（１０）に蓋（１３）を脱着すると共に縦軸（１１）の上下動により球体を有する液流調整弁（８）は上下動できて、升蓋（）に目安計量線（１６）と計量線（１７）を記入する。
【００２１】
液体容器（１）内への液体の注入は、液体容器（１）口部より升蓋（２）を外して液体容器（１）口部より液体を注入する。
【００２２】
液体容器（１）の使用方法は、升蓋（２）に蓋（１３）を装着すると蓋（１３）が縦軸（１１）を押し下げると共に縦軸（１１）は液流調整弁（８）を押し下げ液流調整弁（８）内の球体は液流調整弁（８）内を移動でき、必要量の液体を液体容器（１）内より升蓋（２）内に移動するために液体容器（１）逆さまにし、升蓋（２）を液体容器（１）下にすると液体容器（１）内の液体は液流調整弁（８）を通過し升蓋（２）内に流入する。
【００２３】
升蓋（２）内に流入する液体の必要量が目安計量線（１６）迄入った時点で液体容器（１）を立てて計量線（１７）で確認し液体が多く入った場合は液体容器（１）を傾け液流調整弁（８）内の球体を液流調整弁（８）下部の穴より外して升蓋（２）内より液体容器（１）内に戻す。
【００２４】
液体容器（１）内の計量された液体の液体必要箇所への排出は、升蓋（２）より蓋（１３）を外すと共に縦軸（１１）と液流調整弁（８）が上り、液流調整弁（８）内の球体は液流調整弁装着口（５）内の噛み合い部と液流調整弁（８）の下部とにより挟まれて動きは止まり液流調整弁（８）下部の穴は閉じられて、液体容器（１）を傾けても液体容器（１）内の液体は升蓋（２）内に流入せず液体容器（１）内の計量された液体のみを液体必要箇所へ排出できる。
【符号の説明】
【００２５】
１  液体容器
２  升蓋
３  雄螺子  
４  雌螺子
５  液流調整弁装着口
６  液流調整弁バネ
７  フック
８  液流調整弁
９  液排口
１０  覆い
１１  縦軸
１２  縦軸受け
１３  蓋
１４  雄螺子
１５  雌螺子
１６  目安計量線
１７  計量線
【図１】
2014000970.tif 000003
【図２】
2014000970.tif 000004
【図３】
2014000970.tif 000005
【図４】
2014000970.tif 000006
【図５】
2014000970.tif 000007
【図６】
2014000970.tif 000008
【図７】
2014000970.tif 000009
【図８】
2014000970.tif 000010
【図９】
2014000970.tif 000011